(57)【要約】【課題】電子番組ガイド情報（ＥＰＧ情報）と一緒に送られてくる番組付属情報の内容を判断し、番組に付属している情報を容易にユーザーに知らせる事ができ、視聴予約や録画予約の有効な指標となるとともに、予約の際の自由度を広げ、利便性を向上させることができるようにした電子番組ガイド機能対応デジタル放送受信装置を提供する。【解決手段】デジタルテレビ放送を受信する装置であって、送信されてくる電子番組ガイドデータを含む放送信号を受信する受信手段２と、受信した放送信号から電子番組ガイドデータを抽出するＥＰＧデータ抽出手段４と、抽出された電子番組ガイドデータを格納するＥＰＧデータ格納手段７と、ＥＰＧデータ格納手段７に格納された電子番組ガイドデータから作成した番組表を表示する表示手段と、電子番組ガイドデータから視聴予約や録画予約などの予約動作を行なう予約手段１１とを具備する。【選択図】        図１
2004201080.tif 000002
【特許請求の範囲】
【請求項１】
デジタルテレビ放送を受信する装置であって、
送信されてくる電子番組ガイド（Electronic Program Guide：ＥＰＧ）データを含む放送信号を受信する受信手段と、受信した放送信号から電子番組ガイドデータを抽出する電子番組ガイドデータ抽出手段と、抽出された電子番組ガイドデータを格納する電子番組ガイドデータ格納手段と、該電子番組ガイドデータ格納手段に格納された電子番組ガイドデータから作成した番組表を表示する表示手段と、該電子番組ガイドデータから視聴予約や録画予約などの予約動作を行なう予約手段とを具備することを特徴とする電子番組ガイド機能対応デジタル放送受信装置。
【請求項２】
請求項１記載の電子番組ガイド機能対応デジタル放送受信装置において、
上記電子番組ガイドデータの情報として送られてくるＥＩＴ情報の中に格納されている番組付属情報（ｕｓｅｒ＿ｎｉｂｂｌｅ）の内容を解析する解析手段を具備し、解析した番組付属情報を活用したユーザーインタフェース機能を有することを特徴とする電子番組ガイド機能対応デジタル放送受信装置。
【請求項３】
請求項１又は２に記載の電子番組ガイド機能対応デジタル放送受信装置において、
取得した番組付属情報の内容を電子番組ガイドと一緒に、又は番組情報を表示する際に表示する機能を有することを特徴とする電子番組ガイド機能対応デジタル放送受信装置。
【請求項４】
請求項１又は２に記載の電子番組ガイド機能対応デジタル放送受信装置において、
取得した番組付属情報の内容を電子番組ガイド内に付属情報に対応したアイコンとして表示する機能を有することを特徴と電子番組ガイド機能対応デジタル放送受信装置。
【請求項５】
請求項１又は２に記載の電子番組ガイド機能対応デジタル放送受信装置において、
取得した番組付属情報の内容に応じて、電子番組ガイドの該当番組の枠の色や番組名などが書いてある桝目の色、該当番組の文字の色など番組付属情報毎に色を変えて表示する機能を有することを特徴とする電子番組ガイド機能対応デジタル放送受信装置。
【請求項６】
請求項１乃至５のいずれか１項に記載の電子番組ガイド機能対応デジタル放送受信装置において、
取得した番組付属情報の内容が番組自体の内容が変わる可能性を指摘する番組について、視聴予約や録画予約を行なう際に当該番組に変更があった場合に予約を取消すかどうかの選択の自動または手動での設定を受付ける機能を有することを特徴とする電子番組ガイド機能対応デジタル放送受信装置。
【請求項７】
請求項１乃至５のいずれか１項に記載の電子番組ガイド機能対応デジタル放送受信装置において、
取得した番組付属情報の内容が放送時間が変わる可能性を指摘する番組について、該番組が移動した場合に、移動先の放送時間に当該番組の録画の予約を変更するかどうかの選択の自動または手動での設定を受付ける機能を有することを特徴とする電子番組ガイド機能対応デジタル放送受信装置。
【請求項８】
請求項７記載の電子番組ガイド機能対応デジタル放送受信装置において、
取得した番組付属情報の内容が放送時間の変更及び録画予定の番組と同等番組の放送の可能性を指摘する番組について、該番組が移動するとともに同等の番組が放送される場合に、移動先の放送時間及び録画予約した時間の両方を一緒に予約を行なうかどうかの選択の自動または手動での設定を受付ける機能を有することを特徴とする電子番組ガイド機能対応デジタル放送受信装置。
【請求項９】
請求項１乃至５のいずれか１項に記載の電子番組ガイド機能対応デジタル放送受信装置において、
取得した番組付属情報の内容が放送時間の変更の可能性を指摘し、かつ、変更後の録画時間が他の番組の録画時間と重なった際に、どちらを優先予約するかの選択を受付ける機能を有することを特徴とする電子番組ガイド機能対応デジタル放送受信装置。
【請求項１０】
請求項１乃至５のいずれか１項に記載の電子番組ガイド機能対応デジタル放送受信装置において、
取得した番組付属情報が放送番組の内容の未定である番組についての録画予約をした場合、該番組の内容が確定した時点でユーザーに対して通知する機能と、当該予約の再確認を行なう機能とを有することを特徴とする電子番組ガイド機能対応デジタル放送受信装置。
【発明の詳細な説明】
【０００１】
【発明の属する技術分野】
本発明は、電子情報として送信されてくる電子番組ガイド情報を受信して電子番組ガイド表を表示し、電子番組ガイド表により視聴予約や録画予約を行なう電子番組ガイド機能対応デジタル放送受信装置に関する。
【０００２】
【従来の技術】
デジタルテレビ放送を受信し、電子番組ガイド情報の利用を可能とするデジタル放送受信装置が知られている。このデジタル放送受信装置では、番組表を色分けするのに以下のような従来例がある。特許文献１には、番組表や一覧表の表示時に、ジャンルや視聴料金また利用者の契約情報などを、各番組情報の文字や背景の色で表すことにより、より多くの番組情報を提供する技術が記載されている。
【０００３】
また、時間帯が重複した予約装置および方法に関し、以下のような従来例がある。特許文献２には、時間帯が重複した予約を設定できるようにし、重複した予約が設定された場合には、合理的かつ効率的に番組を受信できるようにする技術が記載されている。
【０００４】
また、電子情報として送信されてくる電子番組ガイド情報を受信しその電子番組ガイド情報を利用して録画予約を行なう録画予約管理装置も知られている。
【０００５】
【特許文献１】
特開平９−１３０６９４号公報
【特許文献２】
特開２００１−５９８８３号公報
【０００６】
【発明が解決しようとする課題】
しかしながら、上述の装置のように、特許文献１ではジャンルや視聴料金また利用者の契約情報などの色分けであって、該当する番組に付属している番組特性を色分けすることが困難であるという問題を有している。
【０００７】
また、上述の装置のように、特許文献２では、最優先と判定される予約の予約開始時刻前に予約のキャンセルや番組のスケジュールが変更された場合には、自動的に優先順位を繰り上げ、第２の候補の予約の番組を受信するための制御情報を生成して予約実行を行なうが、予約自体を行なう際に該当する番組の番組特性を反映し、優先順位つけをすることが困難であるという問題を有している。
【０００８】
本発明は、そのような状況に鑑みてなされたもので、電子番組ガイド情報（ＥＰＧ情報）と一緒に送られてくる番組付属情報の内容を判断し、番組に付属している情報を容易にユーザーに知らせる事ができ、視聴予約や録画予約の有効な指標となるとともに、予約の際の自由度を広げ、利便性を向上させることができるようにした電子番組ガイド機能対応デジタル放送受信装置を提供することを目的とする。
【０００９】
【課題を解決するための手段】
本発明は、デジタルテレビ放送を受信する装置であって、送信されてくる電子番組ガイドデータを含む放送信号を受信する受信手段と、受信した放送信号から電子番組ガイドデータを抽出するＥＰＧデータ抽出手段と、抽出された電子番組ガイドデータを格納するＥＰＧデータ格納手段と、該ＥＰＧデータ格納手段に格納された電子番組ガイドデータから作成した番組表を表示する表示手段と、該電子番組ガイドデータから視聴予約や録画予約などの予約動作を行なう予約手段とを具備する電子番組ガイド機能対応デジタル放送受信装置である。
【００１０】
また、本発明は、上記電子番組ガイドデータの情報として送られてくるＥＩＴ（Ｅｖｅｎｔ  Ｉｎｆｏｒｍａｔｉｏｎ  ｔａｂｌｅ）情報の中に格納されている番組付属情報（ｕｓｅｒ＿ｎｉｂｂｌｅ）の項目で定義されているデジタル放送用番組付属情報（ｃｏｎｔｅｎｔ＿ｎｉｂｂｌｅ＝“０ｘＥ０”指定）の内容を解析する解析手段を具備し、番組付属情報を活用した利便性のあるユーザーインタフェース機能を有する電子番組ガイド機能対応デジタル放送受信装置である。
【００１１】
そして、本発明は、取得した番組付属情報の内容（中止の可能性有り／延長の可能性有り／中断の可能性有り／同一シリーズ別話放送可能性有り／編成未定枠／中断ニュース有り等）を電子番組ガイドと一緒に、又は番組情報を表示する際に表示する機能を有する電子番組ガイド機能対応デジタル放送受信装置である。
【００１２】
更に、本発明は、取得した番組付属情報の内容を電子番組ガイド内に付属情報に対応したアイコン（文字アイコン、記号アイコン等）として表示する機能を有する電子番組ガイド機能対応デジタル放送受信装置である。
【００１３】
また、本発明は、取得した番組付属情報の内容に応じて、電子番組ガイドの該当番組の枠の色や番組名などが書いてある桝目の色、該当番組の文字の色など番組付随情報毎に色を変えて表示する機能を有する電子番組ガイド機能対応デジタル放送受信装置である。
【００１４】
そして、本発明は、取得した番組付属情報の内容が番組自体の内容が変わる可能性（中止の可能性有り／同一シリーズ別話放送可能性有り等）を指摘する番組について、視聴予約や録画予約を行なう際に当該番組に変更があった場合に予約を取消すかどうかの選択の自動または手動での設定を受付ける機能を有する電子番組ガイド機能対応デジタル放送受信装置である。
【００１５】
更に、本発明は、取得した番組付属情報の内容が放送時間が変わる可能性（同一シリーズ別話放送可能性有り／繰り上げの可能性有り等）を指摘する番組について、該番組が移動した場合に、移動先の放送時間に当該番組の録画の予約を変更するかどうかの選択の自動または手動での設定を受付ける機能を有する電子番組ガイド機能対応デジタル放送受信装置である。
【００１６】
また、本発明は、取得した番組付属情報の内容が放送時間の変更及び録画予定の番組と同等番組の放送の可能性（同一シリーズ別話放送可能性有り等）を指摘する番組について、該番組が移動するとともに同等の番組が放送される場合に、移動先の放送時間及び録画予約した時間の両方を一緒に予約を行なうかどうかの選択の自動または手動での設定を受付ける機能を有する電子番組ガイド機能対応デジタル放送受信装置である。
【００１７】
そして、本発明は、取得した番組付属情報の内容が放送時間の変更の可能性（延長の可能性有り／繰り上げの可能性有り等）を指摘し、かつ、変更後の録画時間が他の番組の録画時間と重なった際に、どちらを優先予約するかの選択を受付ける機能を有する電子番組ガイド機能対応デジタル放送受信装置である。
【００１８】
更に、本発明は、取得した番組付属情報が放送番組の内容の未定（編成未定等）である番組についての録画予約をした場合、該番組の内容が確定した時点でユーザーに対して通知する機能と、当該予約の再確認を行なう機能とを有する電子番組ガイド機能対応デジタル放送受信装置である。
【００１９】
【発明の実施の形態】
本発明の実施の形態を説明する。
本発明の電子番組ガイド機能対応デジタル放送受信装置の実施形態の一例を図１乃至図１３に基づいて以下に説明する。図１は、実施形態の電子番組ガイド機能対応デジタル放送受信装置の機能ブロック図である。図２は、実施形態の電子番組ガイド機能対応デジタル放送受信装置における番組付属情報の解析を行なう処理の一例を表すフローチャートである。図３は、実施形態の電子番組ガイド機能対応デジタル放送受信装置における電子番組ガイドに表示する番組特性情報を文字やアイコンで表示する一例を表す図である。図４は、実施形態の電子番組ガイド機能対応デジタル放送受信装置における電子番組ガイドに表示する番組特性情報を番組ガイドの桝目や枠、文字の色を変化させて表示する一例を表す図である。図５は、実施形態の電子番組ガイド機能対応デジタル放送受信装置における電子番組ガイドに特性情報が反映された予約情報を表示する際の一例を表す図である。図６は、実施形態の電子番組ガイド機能対応デジタル放送受信装置における特性情報によって番組が中止になる可能性がある番組と判断された場合の予約画面の一例を表す図である。図７は、実施形態の電子番組ガイド機能対応デジタル放送受信装置における特性情報によって同一シリーズの別話数が放送される可能性がある番組と判断された場合の予約画面の一例を表す図である。図８は、実施形態の電子番組ガイド機能対応デジタル放送受信装置における特性情報によって放送が繰り上げて放送される可能性がある番組と判断された場合の予約画面の一例を表す図である。図９は、実施形態の電子番組ガイド機能対応デジタル放送受信装置における特性情報によって放送が延長する可能性がある番組と判断された場合の予約画面の一例を表す図である。図１０は、実施形態の電子番組ガイド機能対応デジタル放送受信装置における特性情報を反映させた予約の優先順位付け画面の一例を表す図である。図１１は、実施形態の電子番組ガイド機能対応デジタル放送受信装置における番組特性情報によって予約操作を自動的に処理する方法を設定する画面の一例を表す図である。図１２は、実施形態の電子番組ガイド機能対応デジタル放送受信装置における番組特性情報のうち、同一シリーズの別話数放送と判断された番組を予約した際の、別話数の放送予定時間が予約画面に反映された予約画面の一例を表す図である。図１３は、実施形態の電子番組ガイド機能対応デジタル放送受信装置における予約が重なった際に、番組特性情報を元に予約の優先順位判定を自動的に行なう設定画面の一例を表す図である。
【００２０】
実施形態１を説明する。本実施形態の電子番組ガイド機能対応デジタル放送受信装置は、そのブロック図を図１に示すように、デジタル放送を受信するアンテナ１、受信した放送波をチューニングするチューナー２、録画制御時などにＶＴＲへの制御信号を送信する録画信号送信部３、デジタル放送データからＡＶデータやＥＰＧデータを抽出するデータ抽出／ＥＰＧデータ抽出部４、デジタル放送受信機全体の制御を行なう制御部５、番組ガイド（ＥＰＧ）情報を格納する番組ガイド（ＥＰＧ）情報格納部７と、抽出した電子番組ガイド（ＥＰＧ）情報と番組ガイド情報格納部７に格納されている情報とを比較し、番組ガイド情報格納部７のデータを変更し、比較結果を制御部５へ連絡する番組ガイド情報比較部６、番組ガイド情報内にある番組付属情報を抽出し解析する番組付属情報解析部８、抽出されたＡＶデータを処理するＡＶ処理部９、番組ガイド格納部７のデータや番組付属情報解析部８の解析結果や制御部５の制御によって番組ガイドを処理し番組表を作成する番組ガイド（ＥＰＧ）処理部１０、予約データを格納しておく予約情報格納部１２、予約情報格納部１２のデータの更新や予約データの格納処理をし、さらに、予約情報格納部データを元に予約処理を制御する予約制御部１１、ＡＶ処理部９のデータと番組ガイド処理部１０のデータを出力できるように変換し映像と音声として出力するＡＶ出力変換部１３、映像と音声とを表示する表示部（図示せず）から構成されている。なお、表示部として、別体の表示装置を使用することは可能である。
【００２１】
図２は、本実施形態の電子番組ガイド（ＥＰＧ）機能対応デジタル放送受信装置における番組付属情報の解析を行なう処理の一例を表すフローチャートであり、番組付属情報の判定を行なう（ａ１）。まずＥＩＴからコンテント記述子を抽出し（ａ２）、コンテント記述子の情報がデジタル放送用番組付属情報（ｃｏｎｔｅｎｔ＿ｎｉｂｂｌｅ＝“０ｘＥ０”）かどうかの判定を行ない（ａ３）、デジタル放送用番組付属情報でない場合は特性情報なしと判断し（ａ４）、デジタル放送用番組付属情報の場合は、ｕｓｅｒ＿ｎｉｂｂｌｅの上位４ビットの値から判定を行なう（ａ５）。
【００２２】
ｕｓｅｒ＿ｎｉｂｂｌｅの上位４ビットの値が“０ｘ０”の場合は、ｕｓｅｒ＿ｎｉｂｂｌｅの下位４ビットの値からさらに判定を行なう（ａ６）。ｕｓｅｒ＿ｎｉｂｂｌｅの下位４ビットが“０ｘ０”の場合は「中止の可能性あり」と判定される（ａ１４）。“０ｘ１”の場合は「延長の可能性あり」と判定される（ａ１５）。“０ｘ２”の場合は「中断の可能性あり」と判定される（ａ１６）。“０ｘ３”の場合は「同一シリーズの別話数放送の可能性あり」と判定される（ａ１７）。“０ｘ４”の場合は「編成未定枠」と判定される（ａ１８）。“０ｘ５”の場合は「繰り上げの可能性あり」と判定される（ａ１９）。“０ｘ６”〜“０ｘＥ”の場合は「ｒｅｓｅｒｖｅｄ」と判定される（ａ２０）。“０ｘＦ”の場合は「未定義」と判定される（ａ２１）。
【００２３】
ｕｓｅｒ＿ｎｉｂｂｌｅの上位４ビットの値が“０ｘ１”の場合は、ｕｓｅｒ＿ｎｉｂｂｌｅの下位４ビットの値からさらに判定を行なう（ａ７）。ｕｓｅｒ＿ｎｉｂｂｌｅの下位４ビットが“０ｘ０”の場合は「中断ニュースあり」と判定される（ａ９）。“０ｘ１”の場合は「当該イベントに関連する臨時サービスあり」と判定される（ａ１０）。“０ｘ２”〜“０ｘＥ”の場合は「ｒｅｓｅｒｖｅｄ」と判定される（ａ１１）。“０ｘＦ”の場合は「未定義」と判定される（ａ１２）。
【００２４】
ｕｓｅｒ＿ｎｉｂｂｌｅの上位４ビットの値が“０ｘ２”〜“０ｘＥ”の場合は、ｕｓｅｒ＿ｎｉｂｂｌｅの下位４ビットの値からさらに判定を行なう（ａ８）。ｕｓｅｒ＿ｎｉｂｂｌｅの下位４ビットが“０ｘＦ”の場合は「未定義」と判定される（ａ１３）。それ以外の場合は「ｒｅｓｅｒｖｅｄ」と判定される（ａ１２）。
【００２５】
ｕｓｅｒ＿ｎｉｂｂｌｅの上位４ビットの値が“０ｘＦ”の場合は、「未定義」と判定される（ａ１３）。
【００２６】
図３は、本発明による電子番組ガイド（ＥＰＧ）機能対応デジタル放送受信装置の電子番組ガイドに表示する番組特性情報を文字やアイコンで表示する一例を表す図であり、特性情報の文字をアイコンとして表示する例（ｂ１〜ｂ４）や、特性情報を連想させる記号をアイコンとして表示する例（ｂ５〜ｂ１０）や、番組情報と一緒に文字として表示する例（ｂ１１〜ｂ１４）を示している。
【００２７】
図４（ａ）（ｂ）（ｃ）は、本実施形態の電子番組ガイド機能対応デジタル放送受信装置における電子番組ガイドに表示する番組特性情報を番組ガイドの桝目や枠、文字の色を変化させて表示する一例を表す図であり、該当番組欄の桝目の色を特性情報に対応した色にする例（図４ａ）や、該当番組の枠の色を特性情報に対応した色にする例（図４ｂ）や、該当番組欄の文字の色を特性情報に対応した色にする例（図４ｃ）である。
【００２８】
図５は、本実施形態の電子番組ガイド機能対応デジタル放送受信装置における電子番組ガイドに特性情報が反映された予約情報を表示する際の一例を表す図であり、同じ時間帯に予約がされている場合に、番組特性情報に応じて自動または手動で予約の優先順位が付けられ、予約済みマークも優先順位がわかるようなマークとなる（ｃ１、ｃ２）。さらに、同一シリーズの別話数放送の可能性がある番組（ｃ４）を予約した場合には、自動または手動で、以前の時間帯の別話数が放送される可能性がある番組枠にも予約が設定される（ｃ３）。
【００２９】
図６は、本実施形態の電子番組ガイド機能対応デジタル放送受信装置における特性情報によって番組が中止になる可能性がある番組と判断された場合の予約画面の一例を表す図であり、番組予約（視聴／録画）を行なう際に該当番組が中止する可能性がある旨をユーザーに知らせる事ができるとともに、中止になった場合の予約動作の取り消しを設定する事ができる。
【００３０】
図７は、本実施形態の電子番組ガイド機能対応デジタル放送受信装置における特性情報によって同一シリーズの別話数が放送される可能性がある番組と判断された場合の予約画面の一例を表す図であり、番組予約（視聴／録画）を行なう際に該当番組が同一シリーズの別話数が放送される可能性がある旨をユーザーに知らせる事ができるとともに、予約した時間帯の番組が以前の時間帯に移動して放送された場合の追従予約や、予約番組が移動してしまって、次の話数の番組が予約時間帯に放送された場合の予約の設定も行える。また、予約番組が移動してしまった際には予約を取り消す設定をする事もできる。
【００３１】
図８は、本実施形態の電子番組ガイド機能対応デジタル放送受信装置における特性情報によって放送が繰り上げて放送される可能性がある番組と判断された場合の予約画面の一例を表す図であり、番組予約（視聴／録画）を行なう際に該当番組が繰り上げて放送される可能性がある旨をユーザーに知らせる事ができるとともに、予約した番組が繰り上げて放送された場合に、追従して予約動作を行なうように設定したり、繰り上がってしまって、本来予約した時間帯には別番組となってしまった場合に予約を取消す設定も行える。
【００３２】
図９は、本実施形態の電子番組ガイド機能対応デジタル放送受信装置における特性情報によって放送が延長する可能性がある番組と判断された場合の予約画面の一例を表す図であり、番組予約（視聴／録画）を行なう際に該当番組が延長して放送される可能性がある旨をユーザーに知らせる事ができるとともに、延長した場合に番組終了まで予約動作を延長されるかどうかの設定が行える。
【００３３】
図１０は、本実施形態の電子番組ガイド機能対応デジタル放送受信装置における特性情報を反映させた予約の優先順位付け画面の一例を表す図であり、予約一覧を表示する際に優先順位順に表示し、さらに番組特性を一緒に表示する事によって、優先順位付けの判断基準の１つとして番組特性を活用できるようにする。
【００３４】
図１１は、本実施形態の電子番組ガイド機能対応デジタル放送受信装置における番組特性情報によって予約操作を自動的に処理する方法を設定する画面の一例を表す図であり、番組特性がある番組を予約した場合にそれぞれの特性に応じて予約動作を自動的に変更させるための設定が行なえる。
【００３５】
図１２は、本実施形態の電子番組ガイド機能対応デジタル放送受信装置における番組特性情報のうち、同一シリーズの別話数放送と判断された番組を予約した際の、別和数の放送予定時間が予約画面に反映された予約画面の一例を表す図であり、番組特性として同一シリーズの別話数放送可能性あり番組を予約して、別話数放送時に追従予約させるように設定した場合に予約一覧画面で、移動して放送される可能性のある番組も一覧に表示する事により、不意な予約の重複をさけることができる。
【００３６】
図１３は、本実施形態の電子番組ガイド機能対応デジタル放送受信装置における予約が重なった際に、番組特性情報を元に予約の優先順位判定を自動的に行なう設定画面の一例を表す図であり、予約が重なった場合に番組特性情報を用いて予約の優先順位判定を自動で行なうための設定をすることができる。
【００３７】
上記実施形態にて説明したように、本発明により以下の効果がもたらされる。
本発明の電子番組ガイド機能対応デジタル放送受信装置は、上述したような構成としているので、電子番組ガイド情報を取得し、該電子番組ガイドから視聴予約や録画予約を行なうことが可能となる。
また、本発明の電子番組ガイド機能対応デジタル放送受信装置は、上述したような構成としているので、電子番組ガイド情報に付属する番組付属情報の解析と保存を行なうことが可能となる。
そして、本発明の電子番組ガイド機能対応デジタル放送受信装置は、上述したような構成としているので、電子番組ガイド情報に付属する番組付属情報に対応した情報を電子番組ガイドや番組情報と一緒に文字として表示することが可能となる。
更に、本発明の電子番組ガイド機能対応デジタル放送受信装置は、上述したような構成としているので、電子番組ガイド情報に付属する番組付属情報に対応した情報を電子番組ガイドや番組情報と一緒アイコン（マーク）として表示することが可能となる。
また、本発明の電子番組ガイド機能対応デジタル放送受信装置は、上述したような構成としているので、電子番組ガイド情報に付属する番組付属情報に対応した情報を電子番組ガイドの枠や桝目や文字の色を変えて表示することが可能となる。
そして、本発明の電子番組ガイド機能対応デジタル放送受信装置は、上述したような構成としているので、番組自体の内容が変わる可能性がある番組において、視聴予約や録画予約を行なう際に、該当番組に変更があった場合に予約を取り消すかどうかの選択ができ不要な番組の録画を防ぐことが可能となる。
更に、本発明の電子番組ガイド機能対応デジタル放送受信装置は、上述したような構成としているので、録画したい番組が移動した場合でもそれに追従して予約動作が行なえ、移動によって他の予約と重複した際の優先順位付けも行なうことが可能となる。
また、本発明の電子番組ガイド機能対応デジタル放送受信装置は、上述したような構成としているので、予約していた番組の別話放送となった場合に、予約番組先の予約の移動が自動的に行なえ、さらに最初に予約しておいた時間帯の別話も予約動作を行なうことが可能となる。
そして、本発明の電子番組ガイド機能対応デジタル放送受信装置は、上述したような構成としているので、番組付属情報によりあらかじめ該当番組の移動や延長などの変更がある事がわかり、予約をする際の有効な情報となり予約が重なった際の優先順位つけなどに活かすことが可能となる。
更に、本発明の電子番組ガイド機能対応デジタル放送受信装置は、上述したような構成としているので、予約した時間帯の編成未定番組の内容によって予約を変更する事が発生した場合などにも見落とすことなく予約の確認を行なうことが可能となる。
【００３８】
【発明の効果】
本発明によれば、電子番組ガイド情報と一緒に送られてくる番番組付属情報の内容を判断し、番組に付属している情報を容易にユーザーに知らせる事ができ、視聴予約や録画予約の有効な指標となるとともに、予約の際の自由度を広げ、利便性を向上させることができるようにした電子番組ガイド機能対応デジタル放送受信装置を得ることができる。
【図面の簡単な説明】
【図１】実施形態の電子番組ガイド機能対応デジタル放送受信装置の機能ブロック図。
【図２】実施形態の電子番組ガイド機能対応デジタル放送受信装置における番組付属情報の解析を行なう処理の一例を表すフローチャート。
【図３】実施形態の電子番組ガイド機能対応デジタル放送受信装置における電子番組ガイドに表示する番組特性情報を文字やアイコンで表示する一例を表す図。
【図４】実施形態の電子番組ガイド機能対応デジタル放送受信装置における電子番組ガイドに表示する番組特性情報を番組ガイドの桝目や枠、文字の色を変化させて表示する一例を表す図。
【図５】実施形態の電子番組ガイド機能対応デジタル放送受信装置における電子番組ガイドに特性情報が反映された予約情報を表示する際の一例を表す図。
【図６】実施形態の電子番組ガイド機能対応デジタル放送受信装置における特性情報によって番組が中止になる可能性がある番組と判断された場合の予約画面の一例を表す図。
【図７】実施形態の電子番組ガイド機能対応デジタル放送受信装置における特性情報によって同一シリーズの別話数が放送される可能性がある番組と判断された場合の予約画面の一例を表す図。
【図８】実施形態の電子番組ガイド機能対応デジタル放送受信装置における特性情報によって放送が繰り上げて放送される可能性がある番組と判断された場合の予約画面の一例を表す図。
【図９】実施形態の電子番組ガイド機能対応デジタル放送受信装置における特性情報によって放送が延長する可能性がある番組と判断された場合の予約画面の一例を表す図。
【図１０】実施形態の電子番組ガイド機能対応デジタル放送受信装置における特性情報を反映させた予約の優先順位付け画面の一例を表す図。
【図１１】実施形態の電子番組ガイド機能対応デジタル放送受信装置における番組特性情報によって予約操作を自動的に処理する方法を設定する画面の一例を表す図。
【図１２】実施形態の電子番組ガイド機能対応デジタル放送受信装置における番組特性情報のうち、同一シリーズの別話数放送と判断された番組を予約した際の、別話数の放送予定時間が予約画面に反映された予約画面の一例を表す図。
【図１３】実施形態の電子番組ガイド機能対応デジタル放送受信装置における予約が重なった際に、番組特性情報を元に予約の優先順位判定を自動的に行なう設定画面の一例を表す図。
【符号の説明】
１  デジタル放送受信アンテナ
２  チューナー／ＩＦ回路部
３  録画信号送信部
４  データ抽出／ＥＰＧデータ抽出部
５  制御部
６  番組ガイド（ＥＰＧ）情報比較部
７  番組ガイド（ＥＰＧ）情報格納部
８  番組付属情報解析部
９  ＡＶ処理部
１０  番組ガイド（ＥＰＧ）情報処理部
１１  予約制御部
１２  予約情報格納部
１３  ＡＶ出力変換部
【図１】
2004201080.tif 000003
【図２】
2004201080.tif 000004
【図３】
2004201080.tif 000005
【図４】
2004201080.tif 000006
【図５】
2004201080.tif 000007
【図６】
2004201080.tif 000008
【図７】
2004201080.tif 000009
【図８】
2004201080.tif 000010
【図９】
2004201080.tif 000011
【図１０】
2004201080.tif 000012
【図１１】
2004201080.tif 000013
【図１２】
2004201080.tif 000014
【図１３】
2004201080.tif 000015